(57)【要約】【課題】厳重に管理される対象物の不正な取扱いを防止する。【解決手段】各店舗にクライアントマシン、勤怠用指紋読取装置を配設し、各キャッシュボックス毎にキャッシュボックス用指紋読取装置と、監視カメラを配設する。店舗に出勤したきた従業員が勤怠用指紋読取装置に自身の指紋を読み取らせると、その指紋データは通信ネットワークを介して管理部門のサーバマシン１０１へ送信される。サーバマシン１０１では社員マスタ１０２を参照し、勤怠状態ファイルを作成する。キャッシュボックスを開けるとき、従業員はキャッシュボックス用指紋読取装置に自身の指紋を読み取らせる。読み取られた指紋データはサーバマシン１０１へ送信され、勤怠状態ファイルをマッチングされる。一致する指紋データを有するレコードがあるとき、対応するキャッシュボックスを開けることが可能となる。【選択図】        図１
2004341694.tif 000002
【特許請求の範囲】
【請求項１】
取扱い対象物が収納され、通常は開くことができない収納手段と、
所定期間における前記取扱い対象物の取り扱いが認められる認定者の情報を取得する認定者情報取得手段と、
前記収納手段を開放し、前記取扱い対象物を取り扱おうとする取扱者の情報を取得する取扱者情報取得手段と、
前記取扱者情報取得手段により取得された前記取扱者の情報を前記認定者情報取得手段により取得された前記認定者の情報と比較し、一致する情報があるとき、前記収納手段の開放を可能とする制御手段とを備えることを特徴とする不正防止システム。
【請求項２】
前記認定者の情報、及び前記取扱者の情報は指紋であることを特徴とする請求項１に記載の不正防止システム。
【請求項３】
前記収納手段は、店舗に設置されたキャッシュボックスであり、前記取扱い対象物は現金であることを特徴とする請求項１または２のいずれかに記載の不正防止システム。
【請求項４】
前記収納手段が開放されている間、前記収納手段及びその周辺の画像を記録する画像記録手段を備えることを特徴とする請求項１乃至３のいずれかに記載の不正防止システム。
【請求項５】
前記収納手段が開放されている間の時間を計測する計測手段を備えることを特徴とする請求項１乃至４のいずれかに記載の不正防止システム。
【請求項６】
前記取扱者のＩＤ情報と、
前記キャッシュボックスと組み合わせて使用されるＰＯＳレジスタの識別情報と、
前記取扱者が前記キャッシュボックスを開いたオープン時刻と、
前記キャッシュボックスが閉じられたクローズ時刻と、
前記オープン時刻から前記クローズ時刻までの開放時間と、
前記画像記録手段により記録された画像とが関連付けられた監視情報を記憶する監視情報記憶手段を備えることを特徴とする請求項３に記載の不正防止システム。
【請求項７】
企業の店舗に設置され、取扱い対象物が収納される収納装置と、
前記店舗において前記収納装置毎に設置され、前記収納装置の取扱者の情報を取得する取扱者情報取得装置と、
前記店舗に設置され、前記店舗の出勤者の情報を取得する出勤者情報取得装置と、
前記店舗に設置され、前記取扱者情報と前記出勤者情報を前記企業のサーバマシンへ送信するクライアントマシンとを備え、
前記サーバマシンは、前記取扱者情報を前記出勤者情報と比較し、一致する情報があるとき、前記収納装置の開放の許可命令を前記クライアントマシンへ送信することを特徴とする不正防止システム。
【発明の詳細な説明】
【０００１】
【発明の属する技術分野】
本発明は、現金、貴重品、劇薬等、取扱者を限定して取り扱われる対象物の不正な取り扱いを防止するシステムに関する。
【０００２】
【従来の技術】
従来、小売業における現金、貴金属を扱う商店における商品、医療施設における劇薬等は、厳重に管理することが要求される。例えば、コンビニエンスストア等の小売業や外食産業の業界では、広範囲の地域に複数の店舗が出店され、各店舗にＰＯＳレジスターとキャッシュボックスが組み合わせて設置されている。売り上げ金額の管理はＰＯＳレジスターにより行われ、現金の管理はキャッシュボックスにより行われる。現金による支払いが行われると、従業員は受け取った現金をキャッシュボックスに納め、釣銭をわたす必要があるときは、キャッシュボックスに残存する現金の中から支払う。キャッシュボックスには暗証番号が設定されており、キャッシュボックスを開けるには、暗証番号を入力しなければならない。すなわち、暗証番号を知っている人間のみがキャッシュボックスを開けることができる。
【０００３】
【発明が解決しようとする課題】
本来、キャッシュボックスに設定する暗証番号は随時変更することが防犯上望ましいが、この変更が確実に行われるとは限らない。同一の暗証番号が継続して使用されると、例えば、悪意を持った元従業員が変更されないままの暗証番号を使ってキャッシュボックスを開けることができてしまう。また、暗証番号を適宜変更していたとしても、従業員がキャッシュボックスを閉め忘れると、その間、中の現金が盗難にあう危険が生じる。すなわち、単にキャッシュボックスに暗証番号を設定するのみでは、キャッシュボックス内の現金の盗難等の不正を未然に防止することができないという問題があった。
【０００４】
本発明は以上の問題を解決するものであり、特定の人物のみに取り扱いが許される対象物の盗難等の不正を防止することを目的とする。
【０００５】
【課題を解決するための手段】
本発明に係る不正防止システムは、取扱い対象物が収納され、通常は開くことができない収納手段と、所定期間における取扱い対象物の取り扱いが認められる認定者の情報を取得する認定者情報取得手段と、収納手段を開放し、取扱い対象物を取り扱おうとする取扱者の情報を取得する取扱者情報取得手段と、取扱者情報取得手段により取得された取扱者の情報を認定者情報取得手段により取得された認定者の情報と比較し、一致する情報があるとき、収納手段の開放を可能とする制御手段とを備えることを特徴とする。
【０００６】
認定者の情報、及び取扱者の情報は、例えば指紋である。また、例えば、収納手段は、店舗に設置されたキャッシュボックスであり、取扱い対象物は現金である。
【０００７】
好ましくは、収納手段が開放されている間、収納手段及びその周辺の画像を記録する画像記録手段を備える。
【０００８】
より好ましくは、収納手段が開放されている間の時間を計測する計測手段を備える。
【０００９】
好ましくは、取扱者のＩＤ情報と、キャッシュボックスと組み合わせて使用されるＰＯＳレジスタの識別情報と、取扱者がキャッシュボックスを開いたオープン時刻と、キャッシュボックスが閉じられたクローズ時刻と、オープン時刻からクローズ時刻までの開放時間と、画像記録手段により記録された画像とが関連付けられた監視情報を記憶する監視情報記憶手段を備える。
【００１０】
また、本発明に係る不正防止システムは、企業の店舗に設置され、取扱い対象物が収納される収納装置と、店舗において収納装置毎に設置され、収納装置の取扱者の情報を取得する取扱者情報取得装置と、店舗に設置され、店舗の出勤者の情報を取得する出勤者情報取得装置と、店舗に設置され、取扱者情報と出勤者情報を企業のサーバマシンへ送信するクライアントマシンとを備え、サーバマシンは、取扱者情報を出勤者情報と比較し、一致する情報があるとき、収納装置の開放の許可命令をクライアントマシンへ送信することを特徴とする。
【００１１】
以上のように本発明によれば、認定者の情報（出勤者の情報）と取扱者の情報が一致したとき、収納手段（収納装置）の操作が可能となる。換言すれば、認定者として認定された取扱者のみが収納手段の操作をすることができる。従って、収納手段に収納された取扱い対象物が不正に取り出されることが防止される。
【００１２】
収納手段が開放されている間、収納手段とその周辺の画像を記録すれば、正規の取扱者が収納手段を開いた後、閉め忘れた場合に、不正に取扱い対象物を取りだした人物を知ることができる。従って、不正防止システムとしてより高い信頼性が得られる。
【００１３】
また、上述の監視情報記憶手段を備えれば、各キャッシュレジスタ毎の稼動状況、各従業員毎の操作状況を詳細に把握することができる。従って、これらの情報に基づいて、より緻密な防犯体制をしくことも可能である。
【００１４】
【発明の実施の形態】
以下、本発明の実施の形態を図面を参照して説明する。図１は本発明に係る実施形態が適用される不正防止システムのシステム構成図である。第１店舗、第２店舗、第３店舗、〜第Ｎ店舗は、企業Ａにより直営／ＦＣ形態等により運営される。これら各店舗には、それぞれＰＯＳレジスタとキャッシュボックスが設置される。１台のＰＯＳレジスタには１台のキャッシュボックスが組み合わせられる。例えば、第１店舗にはＰＯＳレジスタＰＲ１１とキャッシュボックスＣＢ１１が組み合わせて設置され、第２店舗には３台のＰＯＳレジスタＰＲ２１、２２、２３にそれぞれキャッシュボックスＣＢ２１、２２、２３が組み合わせて設置され、第３店舗には２台のＰＯＳレジスタＰＲ３１、３２にそれぞれキャッシュボックスＣＢ３１、３２が組み合わせて設置され、第Ｎ店舗にはＰＯＳレジスタＰＲＮ１にキャッシュボックスＣＢＮ１が組み合わせて設置される。ＰＯＳレジスタとキャッシュボックスの設置台数は、各店舗の規模により決定される。
【００１５】
各店舗の各ＰＯＳレジスタには、売上が発生する度にその売上種別と売上金額が電子データとして入力される。売上種別には、実際に現金の授受が行われる場合、カード決済による場合、商品券による場合、掛売りの場合等がある。現金の授受が行われた場合、受け取った現金は対応するキャッシュボックスに一時的に格納され、釣銭はキャッシュボックスから持ち出される。
【００１６】
各店舗には、各キャッシュボックスを開けるためのキャッシュボックス用指紋読取装置（以下、ＣＢ用指紋読取装置）が設置される。第１店舗にはキャッシュボックスＣＢ１１に対応するＣＢ用指紋読取装置ＣＦ１１が設置され、第２店舗にはキャッシュボックスＣＢ２１、２２、２３に対応するＣＢ用指紋読取装置ＣＦ２１、２２、２３が設置され、第３店舗にはキャッシュボックスＣＢ３１、３２に対応するＣＢ用指紋読取装置ＣＦ３１、３２が設置され、第Ｎ店舗にはキャッシュボックスＣＢＮ１に対応するＣＢ用指紋読取装置ＣＦＮ１が設置される。
【００１７】
また、各店舗毎に１台の勤怠用指紋読取装置が設置される。第１店舗には勤怠用指紋読取装置ＦＰ１、第２店舗には勤怠用指紋読取装置ＦＰ２、第３店舗には勤怠用指紋読取装置ＦＰ３、第Ｎ店舗には勤怠用指紋読取装置ＦＰＮが設置される。
【００１８】
ＣＢ用指紋読取装置及び勤怠用指紋読取装置は、操作者がかざした指の指紋を読み取る装置である。ＣＢ用指紋読取装置は、対応するキャッシュボックスを開けるときに操作され、勤怠用指紋読取装置は、各店舗に出勤してきたときに操作される。
【００１９】
各店舗には、各キャッシュボックス及びその周辺の映像を記録するための監視カメラが設置される。第１店舗にはキャッシュボックスＣＢ１１に対応する監視カメラＣＭ１１が設置され、第２店舗にはキャッシュボックスＣＢ２１、２２、２３に対応する監視カメラＣＭ２１、２２、２３が設置され、第３店舗にはキャッシュボックスＣＢ３１、３２に対応する監視カメラＣＭ３１、３２が設置され、第Ｎ店舗にはキャッシュボックスＣＢＮ１に対応する監視カメラＣＭＮ１が設置される。各監視カメラは、対応するキャッシュボックスが開けられると録画を開始し、所定時間経過後、録画を停止する。
【００２０】
また、各店舗毎に１台のクライアントマシンが設置される。第１店舗にはクライアントマシンＣＬ１、第２店舗にはクライアントマシンＣＬ２、第３店舗にはクライアントマシンＣＬ３、第Ｎ店舗にはクライアントマシンＣＬＮが設置される。各クライアントマシンには、その店舗に設置された各キャッシュボックス、各ＣＢ用指紋読取装置、各勤怠用指紋読取装置、及び各監視カメラが接続されている。また、各クライアントマシンはデータ通信機能を備えており、企業Ａの本社管理部門と各店舗とを結ぶ通信ネットワークに接続されている。
【００２１】
通信ネットワークには企業Ａの本社管理部門により管理されるサーバマシン１０１が接続されている。サーバマシン１０１は、企業Ａの第１〜第Ｎ店舗に設置されたクライアントマシンＣＬ１〜ＣＬＮから送られてくるデータを受信する。サーバマシン１０１が受信したデータには後述する所定の処理が施される。
【００２２】
社員マスタ１０２は、企業Ａの従業員の情報が格納されたデータベースである。このデータベースには、従業員のＩＤ情報（氏名及び担当コード）と所属店舗と本人の指紋データが関連付けられて格納されている。社員マスタ１０２はサーバマシン１０１からのアクセスが可能である。
【００２３】
各店舗に出勤してきた従業員は、その店舗の勤怠用指紋読取装置を操作し、自身の指紋を読み取らせる。勤怠用指紋読取装置により読み取られた従業員の指紋データは、その店舗のクライアントマシンから通信ネットワークを介してサーバマシン１０１に送信される。
【００２４】
図２は、従業員が出勤したとき、サーバマシン１０１により行われる勤怠データ作成ルーチンの制御手順を示すフローチャートである。このルーチンは、サーバマシン１０１において常駐しており、指紋データを受信したか常にチェックされている（ステップＳ１００）。クライアントマシンから従業員の指紋データを受信したことが確認されると、ステップＳ１０２へ進む。ステップＳ１０２において、受信した指紋データを検索キーとして社員マスタ１０２が検索され、ステップＳ１０４において、受信した指紋データと一致する指紋データを有するレコードが存在するかチェックされる。一致するレコードが存在することが確認されたらステップＳ１０６へ進む。ステップＳ１０６において、受信した指紋データと一致するレコードに基づいて勤怠状態ファイル１０３（図１参照）が作成される。勤怠状態ファイル１０３は、従業員のＩＤ情報、従業員の指紋データ、店舗名、当日の日付を１レコードとして作成される。
【００２５】
尚、勤怠状態ファイル１０３は、店舗の営業日が切り換わるとクリアされる。従って、業務を終了した従業員が退社し、次の営業日に日出勤したときは、再び勤怠用指紋読取装置に指紋を読み取らせ、その営業日のレコードを勤怠状態ファイル１０３に作成することとなる。
【００２６】
ステップＳ１０４において、受信した指紋データと一致する指紋データを有するレコードが社員マスタ１０２に存在しないことが確認されたらステップＳ１０８へ進み、所定の異常処理を行う。
【００２７】
ステップ１０６若しくはＳ１０８の処理が終了したらステップ１００へ戻り、以降の処理が繰り返し行われる。
【００２８】
従業員がキャッシュボックスを開けるとき、対応するＣＢ用指紋読取装置を操作し、自身の指紋を読み取らせる。ＣＢ用指紋読取装置により読み取られた指紋データは、そのキャッシュボックスのオープン指示と共にクライアントマシンから通信ネットワークを介してサーバマシン１０１へ送信される。図３は、サーバマシン１０１で実行される各店舗のキャッシュボックスの制御ルーチンの処理手順を示すフローチャートである。この制御ルーチンはサーバマシン１０１に常駐しており、各店舗のクライアントマシンからキャッシュボックスのオープン指示を受信したかチェックされている（ステップＳ２００）。クライアントマシンからキャッシュボックスのオープン指示を受信したことが確認されたらステップＳ２０２へ進む。
【００２９】
ステップＳ２０２では、キャッシュボックスのオープン指示と共に受信した指紋データを検索キーとして、勤怠状態ファイル１０３が検索される。次いで、ステップＳ２０４において、検索の結果、受信した指紋データと一致する指紋データを有するレコードが勤怠状態ファイル１０３に存在するがチェックされる。一致するレコードの存在が確認されたらステップＳ２０６へ進む。受信した指紋データと一致する指紋データを有するレコードが勤怠状態ファイルに存在するということは、ＣＢ用指紋読取装置に指紋を読み取らせた人物が店舗に出勤してきた正規の従業員であり、キャッシュボックスを開けることが許されている人物であることを示す。従って、ステップＳ２０６においてキャッシュボックスのオープン許可の命令が出される。
【００３０】
オープン許可の命令はサーバマシン１０１から通信ネットワークを介してクライアントマシンへ送信される。クライアントマシンは、オープン許可に基づいて該当するキャッシュボックスをオープン可能な状態にする。
【００３１】
また、ステップＳ２０６では、上述のオープン許可を出すと共に、そのときの時刻をオープン時刻としてメモリに格納し、監視タイマーをスタートさせる。
【００３２】
ステップＳ２０８において、オープン許可が出されたキャッシュボックスに対応する監視カメラによる録画開始の命令がサーバマシン１０１から通信ネットワークを介してクライアントマシンへ送信される。クライアントマシンでは、録画開始命令に基づいて、該当する監視カメラの録画動作を開始する。カメラにより録画される画像データは、クライアントマシンに一時的に格納される。
【００３３】
キャッシュボックスを開いて現金の出し入れをした従業員がキャッシュボックスを閉めると、キャッシュボックスクローズの通知がクライントマシンから通信ネットワークを介してサーバマシン１０１へ送信される。ステップＳ２１０では、クローズ通知を受けたかチェックされる。
【００３４】
クローズ通知を受けたことが確認されたらステップＳ２１２へ進む。ステップＳ２１２では、録画停止の命令が出され、通信ネットワークを介してクライアントマシンに送信される。クライアントマシンは録画停止命令に基づいて、監視カメラによる録画を停止する。また、ステップＳ２１２では、録画停止の命令と共に、そのときの時刻がクローズ時刻としてメモリに格納され、監視タイマーの停止処理が行われる。
【００３５】
次いでステップＳ２１４へ進み、録画された画像データの記録処理が行われる。すなわち、クライアントマシンに格納されていた画像データがサーバマシン１０１へ送信され、メモリに格納される。
【００３６】
次いでステップＳ２１６へ進み、監視ファイル１０４の作成処理が行われる。まず、キャッシュボックスのオープン時刻からクローズ時刻までの時間を開放時間として算出する。次いで、キャッシュボックスを開けた従業員の担当コード、キャッシュボックスのオープン時刻、クローズ時刻、開放時間、及びキャッシュボックスと組み合わせられているＰＯＳレジスタのＰＯＳナンバーとを関連付けたレコードが監視ファイル１０４のデータとして作成される。また、メモリに格納されている録画データはこのレコードと関連付けられる。
【００３７】
一方、ステップＳ２１０において、クローズ通知を未だ受けていないことが確認されたらステップＳ２１８へ進む。ステップＳ２１８では、監視タイマーがチェックされ所定時間が経過したかチェックされる。所定時間が経過していないことが確認されたら、ステップＳ２１０へ戻り以降の処理が実行される。所定時間が経過していることが確認されたら、ステップＳ２２０へ進む。ステップＳ２２０では、画像データの録画命令が出される。録画命令は通信ネットワークを介してクライアントマシンへ送信される。監視カメラにより所定時間内に記録された画像データがクライアントマシンに記録される。すなわち、キャッシュボックスが開放されている間、所定時間毎に画像データが記録される。その後、ステップＳ２１０へ戻り、以降の処理が繰り返される。
【００３８】
上述の処理は、各店舗毎に、また各キャッシュボックス毎に行われる。従って、勤怠状態ファイル１０３のレコードは、各店舗毎に、当日、その店舗に出勤してきた従業員を対象として作成される。また、各店舗の各キャッシュボックスを開けようとする度に、指紋認証が行われ、キャッシュボックスが開放されている間は、監視カメラによりキャッシュボックス及びその周囲の状況が録画される。
【００３９】
例えば、第２店舗の従業員甲が第２店舗に出勤すると、勤怠用指紋読取装置ＦＰ２に自身の指紋を読み取らせる。その結果、サーバマシン１０１で行われる上述の勤怠データ作成ルーチンにより、勤怠状態ファイル１０３に、従業員甲のＩＤ情報、従業員甲の指紋データ、第２店舗名、当日の日付から成るレコードが作成される。
【００４０】
第２店舗の従業員甲が第２店舗のキャッシュボックスＣＢ２１を開けるべく、ＣＢ用指紋読取装置ＣＦ２１を操作すると、甲の指紋データと、キャッシュボックスＣＢ２１のオープン指示がサーバマシン１０１へ送信される。上述のステップＳ２０４における勤怠状態ファイル１０３の検索の結果、甲のレコードの存在が確認され（図３のＳ２０４でＹＥＳ）、ステップＳ２０６の処理により、従業員甲はキャッシュボックスＣＢ２１を開けることができる。そして、従業員甲がキャッシュボックスＣＢ２１を閉じるまで、監視カメラＣＭ２１によりキャッシュボックスＣＢ２１とその周辺の状況が録画される。
【００４１】
もし、キャッシュボックスＣＢ２１を開けようとする人物が勤怠用指紋読取装置ＦＰ２に指紋を読み取らせていない人物の場合、例えば第２店舗の従業員以外の人物（第２店舗の元従業員を含む）や、第２店舗の従業員であっても当日は出勤日ではない場合、ＣＢ指紋読取装置ＣＦ２１に読み取らせた指紋データと一致する指紋データを有するレコードは勤怠状態ファイル１０３に存在しない（ステップＳ２０４でＮＯ）。従って、ステップＳ２０６の処理は実行されず、その人物はキャッシュボックスＣＢ２１を開けることができない。
【００４２】
企業Ａの本社管理部門では、各店舗のキャッシュボックスの運用状況をチェックすることができる。図４は、サーバマシン１０１で実行される監視データの出力ルーチンの処理手順を示すフローチャートである。ステップＳ３００において監視データ抽出条件の設定をするための出力指示画面が表示される。出力指示画面では、日付、店舗名、開放時間等の検索パラメータの設定が可能である。
【００４３】
ステップＳ３０２において、検索パラメータの設定が行われ、監視データの出力指示があったことが確認されると、ステップＳ３０４へ進む。ステップＳ３０４では、出力画面で設定された検索パラメータに基づいて、上述の監視ファイル１０４が検索される。検索パラメータに一致するレコードが抽出され、出力対象ファイル１０５（図１参照）が作成される。
【００４４】
次いで、ステップＳ３０６へ進み、出力対象ファイル１０５の出力形態として、リスト出力若しくは画面表示のどちらが選択されたかチェックされる。画面表示が出力された場合、ステップＳ３０８へ進み、画像項目選択画面が表示される。図５は、画像項目選択画面の一例を示す図である。画像項目選択画面には、ＰＯＳナンバー、担当者名、開放時間が１レコードとして表示され、各レコードには項目番号が付けられている。
【００４５】
ステップＳ３１０において、画像項目選択画面で項目番号が選択されたことが確認されると、ステップＳ３１２へ進み、該当する画像データ（監視カメラにより録画された画像データ）が画面に表示される。次いで、ステップＳ３１４において、画面表示の終了が選択されたかチェックされる。終了が選択されたことが確認されたら既に設定されていた検索パラメータのクリアが行われ、ステップＳ３００へ戻り、出力指示画面が表示され、以降の処理が行われる。
【００４６】
ステップＳ３１４において、画面表示の終了が未だ選択されていないことが確認されたら、ステップＳ３１０へ戻り、以降の処理が行われる。すなわち、ステップＳ３０８で表示された画像項目選択画面において、他のレコードに関連付けられている画像データを再生することができる。
【００４７】
ステップＳ３０６において、リスト出力が選択された場合、ステップＳ３１６へ進む。ステップＳ３１６では、「営業日」「店舗名」「ＰＯＳナンバー」「担当者名」「オープン時刻」「クローズ時刻」「開放時間」が、サーバマシン１０１に接続されたプリンタ（図示せず）からリスト出力される。リスト出力終了後、ステップＳ３００へ戻り、以降の処理が繰り返される。
【００４８】
以上のように本実施形態によれば、各店舗に出勤してきた従業員の指紋をチェックすることによりその店舗の従業員であるか確認し、さらにキャッシュボックスを開く際、指紋をチェックすることにより、当日出勤してきた従業員であるか確認している。その結果、各店舗に設置されたキャッシュボックスは、その店舗の従業員であって、実際に出勤してきた正規の従業員でなければ開くことができない。従って、従業員以外の者がキャッシュボックスを開け、中の現金を盗み出すという不正が防止される。
【００４９】
また、キャッシュボックスが開放されている間は、キャッシュボックス及びその周辺の状況が監視カメラにより記録される。その結果、キャッシュボックスが開放されている間に正規の従業員が不正を働いても、画像データに記録として残される。従って、従業員の不正を未然に防ぐ効果がある。さらに、キャッシュボックスを開けた後、閉め忘れるというミスが低減される効果がある。
【００５０】
尚、本実施形態は、各店舗のデータ、各キャッシュボックスのデータを本社管理部門のサーバマシン１０１で処理するシステム構成をとっているが、これに限るものではない。例えば店舗数が比較的少ない場合に、サーバマシン１０１で行う上述の処理を各店舗のクライアントマシンに行わせるシステム構成としてもよい。
【００５１】
また、本実施形態では、コンビニエンスストアや外食産業の各店舗に設置されるキャッシュボックスの不正防止システムに基づいて説明したが、これに限るものではない。例えば、宝石・貴金属を扱う企業において商品を収納するケースや、劇薬を扱う薬局・病院等において劇薬を収納するケースについても適用可能である。
【００５２】
【発明の効果】
以上のように、本発明によれば、特定の人物のみに取り扱いが許される対象物について、盗難等の不正を防止することができる。
【図面の簡単な説明】
【図１】本発明に係る実施形態が適用される不正防止システムのシステム構成図である。
【図２】従業員が店舗に出勤し、指紋を勤怠用指紋読取装置に読み取らせたとき、サーバマシンにより行われる勤怠データ作成ルーチンの制御手順を示すフローチャートである。
【図３】サーバマシンで実行される各店舗のキャッシュボックスの制御ルーチンの処理手順を示すフローチャートである。
【図４】サーバマシンで実行される監視データの出力ルーチンの処理手順を示すフローチャートである。
【図５】画像項目選択画面の一例を示す図である。
【符号の説明】
ＰＲ１１〜ＰＲ３２、ＰＲＮ１  ＰＯＳレジスタ
ＣＢ１１〜ＣＢ３２、ＣＢＮ１  キャッシュボックス
ＣＦ１１〜ＣＦ３２、ＣＦＮ１  キャッシュボックス用指紋読取装置
ＦＰ１〜ＦＰ３、ＦＰＮ  勤怠用指紋読取装置
１０１  サーバマシン
１０２  社員マスタ
１０３  勤怠状態ファイル
１０４  監視ファイル
１０５  出力対象ファイル
【図１】
2004341694.tif 000003
【図２】
2004341694.tif 000004
【図３】
2004341694.tif 000005
【図４】
2004341694.tif 000006
【図５】
2004341694.tif 000007